(57)【要約】【課題】  遺体保存収納袋の機能を抗菌、脱臭保冷機能を一体化する事により遺体の損傷に伴う腐敗進行抑止と血液、体液の流出により腐敗に伴う異臭防止となり出来る限り良好な状態で長時間保つことが可能な抗菌、脱臭、保冷機能を兼ね備えた遺体保存収納袋を得る。【解決手段】  遺体保存収納袋本体の内側全体に断熱部材で覆うことによって、外部と遮断し収納袋全体が保冷袋となると共に遺体全体を防腐布で包み込み、しかも防腐布とシートの二重構造によって、血液、体液等を吸収し、防腐布に抗菌・脱臭作用を有する薬剤を含着させる。【選択図】図２
2014042783.tif 000002
【特許請求の範囲】
【請求項１】
遺体保存収納袋は、外側が合成樹脂製のシートで出来た収納袋の内側全体に断熱部材で覆うことによって、外気温を遮断し、保冷剤を胸部、腹部に当る部位に配置することにより、収納袋本体が保冷機能を有し、又断熱部材の内側全体に防腐布を合着させ、この防腐布と断熱部材の間に吸収性の高いシートを配置させ、又この防腐布には抗菌、脱臭作用を有する薬剤を含着させたことを特徴とする遺体保存収納袋。
【請求項２】
上記防腐布に含着させる薬剤が炭化珪素又酸化珪素５０乃至７０％重量、酸化アルミニュウム１５乃至２５％重量、酸化チタン５乃至１０％重量の割合で焼製されてなる超微粒状、抗菌セラミックスの粉体であることを特徴とする請求項１記載の遺体収納袋。
【請求項３】
上記防腐布に含着させる薬剤が、珪酸ジルコニウム１５乃至２５％重量、精製カリオン２０乃至２５％重量、精製タルク１５乃至２５％重量、天然放射希土類２５乃至３０％重量の割合で生成されてなるセラミックス粉体であることを特徴とする請求項１記載の遺体保存収納袋。
【請求項４】
防腐布の下にポリエステル素材によるコットンフィールによる吸収性の非常に高いシートを合着させ、上記防腐布で吸収出来なかった血液、体液等を吸収して、遺体に付着することを防止し、防腐布に含着された抗菌、消臭作用を有する上記薬剤によって、遺体の腐敗、異臭防止のためのダブル効果となることを特徴とする請求項２、又は請求項３記載の遺体保存収納袋。
【発明の詳細な説明】
【技術分野】
【０００１】  この発明は遺体を抗菌作用によって、腐敗抑止効果と脱臭作用による異臭防止効果と保冷効果を持たせた遺体保存収納袋に関するものである。
【背景技術】
【０００２】  今日までの遺体収納袋は合成樹脂製シートで袋状に縫製され、表面にファスナーが付いて開閉式で遺体を収納袋に収容する機能のみであった。
【特許文献】
【０００３】
【特許文献１】  実用新案登録第３１５０９１７号公報
【特許文献２】  実用新案登録第３１７３０３７号公報
【発明の概要】
【発明が解消しようとする課題】
【０００４】  上記のような従来の遺体収納袋では変死体、事故死体、事件死体、災害死体による遺体においては損傷が激しく、中には血液、体液が溜まることによって、遺体の異臭発生と雑菌等の発生に伴い遺体の腐敗進行防止が困難であり、取扱い関係者及び遺族の精神的、実務的労働負担が図り知れない状態である。
【０００５】  この発明は、上記のような問題を解決する為になされたもので、遺体を抗菌作用による腐敗抑止効果と、脱臭効果に伴う異臭防止効果を得ることが可能である。又収納袋の内側全体に断熱材を合着させることで保冷効果によって長時間遺体を保存することが可能な遺体保存収納袋を得ることを目的とする。
【０００６】  この発明の遺体保存収納袋は、外側が合成樹脂製のシートで出来た収納袋の内側全体に断熱部材で覆うことによって、外気温を遮断し、保冷剤を胸部、腹部に当る部位に配置する事によって、収納袋本体が保冷機能を有する。又断熱部材の内側全体に防腐布を合着する。この防腐布と断熱部材の間に吸収性の高いシートを配置する。又この防腐布には抗菌、脱臭作用を有する薬剤を含着させたものである。
【０００７】  また、防腐布に含着させる薬剤が、炭化珪素または酸化珪素５０乃至７０％重量、酸化アルミニュウム１５乃至２５％重量、酸化チタン５乃至１０％重量の割合で焼成されてなる超微粒状抗菌セラミックスの粉体としたものである。
【０００８】  そして、防腐布に含着させる薬剤が、珪酸ジユニウム１５乃至２５％重量、精製カリオン２０乃至２５％重量、精製タルク１５乃至２５％重量、天然放射性希土類２５乃至３０％重量の割合で生成されてなるセラミックス粉体としたものである。
【発明の効果】
【０００９】  また防腐布の下にポリエステル素材によるユニットフィールによる吸収性の非常に高いシートを合着させ、上記防腐布で吸収出来なかった血液、体液等を吸収して、遺体に付着することを防止し、防腐布に含着された抗菌、脱臭作用を有する上記薬剤によって、遺体の腐敗、異臭防止のためのダブル効果となることを特徴としたものである。
【００１０】  この発明の遺体保存収納袋では、断熱材を遺体保存収納袋の内側全体に設け、しかも遠赤外線とマイナスイオンが発生する抗菌セラミックスを含着させた防腐布を遺体に接する部分全体に配置することによって、抗菌効果と脱臭効果が得られる。又遺体の頭部、背中部位、及び足の甲部位が当る部分の防腐布と断熱材の間に吸収性の高いシートを配置する事によって、血液、体液の吸収性を高めることによって、より腐敗抑止と異臭防止効果となる。又収納袋の中に保冷剤を入れることによって、遺体をより一層長時間安置した場合においても、腐敗の進行抑制と異臭防止を容易に可能とした。
【図面の簡単な説明】
【００１１】
【図１】  この発明は遺体保存収納袋の表面全体から見た図である。
【図２】  この発明の遺体保存収納袋の記号Ａ−Ａに沿う一部切欠拡大断面図である。
【発明を実施する為の形態】
【実施例１】
【００１２】  図１は、この発明の一実施の形態を示す抗菌、脱臭、保冷機能を備えた遺体保存収納袋本体１００を表面から見た図である。図２は、図１に示す遺体収納袋の一部切欠断面図である。図において、１は収納袋あり、表地は合成樹脂性のシート、或いはポリエステル繊維の生地の表面をポリ塩化ビニールでコーティングした生地である。２はファスナーであり収納袋を広く開口し、遺体を収容し易くするものである。３はスライダーであり、スライダーを２個付けることによって、どの位置からでも必要に応じて開閉が出来る。４は収納袋に取付けた２のファスナーと３のスライダーを覆うものであり、１の生地と共生地である。５は遺体収納袋に遺体を収容して、移動する際に握る把手部となるもので、１００の遺体保存収納袋本体に縫付け強度も確保する。６は発泡ポリエチレンとアルミ蒸着フィルムからなる断熱材で形成したもので、外部の温度をシャットアウトすると共に、内部の冷気を外部に出すことなく保冷効果を保つことが可能である。７はポリエステル素材によるコットンフィールによるシートであり、血液、体液の吸収性がよく、８の防腐布で吸収出来なかった血液、体液等を吸収し遺体の腐敗、防臭防止効果の一役を担うことが出来る。８は防腐布であり、抗菌、消臭作用を有する薬剤が含着されている。防腐布８への薬剤の含着方法としては、一般的に該当する薬剤を含む溶液に布を漬侵し、乾燥する方法等が用いられる。防腐布８は、収納袋１と断熱材６とシート７を合着させ、両横部分については、防腐布８と断熱材６と収納袋１を合着させる。
上部については、防腐布１と断熱材６とは合着し、防腐布８は合着せず遺体を防腐布８で包むものとする。保冷剤９は防腐布８と断熱材６の間に入れることによって遺体に冷気を伝えて保冷効果が発生する。遺体を確認する都度スライダーを開閉して確認するのではなく、写真又は似顔絵あるいは故人を認識出来るものを入れることが出来る透明の袋１０である。１１は透明袋であり、故人の名前等を入れる袋である。【００１３】  発明者の探求によれば防腐布８に含着させる抗菌、消臭薬剤としての、第一の薬剤としては、炭化珪素又は酸化珪素５０乃至７０％重量、酸化アルミニュウム１５乃至２５％重量、酸化チタン５乃至１０％重量の割合で焼製されてなる超微粒状抗菌セラミックス粉体。【００１４】  そして、第２の薬剤として、珪酸ジルコニウム１５乃至２５％重量、精製カリオン２０乃至２５％重量、精製タルク１５乃至２５％重量、天然放射希土類２５乃至３０％重量の割合で精製されてなる超微粒状抗菌セラミックス粉体が適していることを見出した。【００１５】  これら薬剤粉体を重量０．１％から１．０％の水溶液にして防腐布８の母布地を潰侵・乾燥含着させる。又はこの水溶液に若干の糊を加え、母布地８に吹き付け散布・アイロン乾燥して含着させてもよい。【００１６】  抗菌セラミックス粉体の含着量を多くすれば抗菌・消臭効果は高まるが高価となる為実用的な抗菌・消臭効果が得られる含着量としては薬剤粉体を重量比０．３％から０．６％の水溶液にするのが望ましい。含着方法は、防腐布８の布種、及び糊の有無によって、この範囲で濃度の使い分けをする。【００１７】  上記のように構成された遺体保存収納袋においては、遺体保存収納袋本体１００のみを遺体収容袋として使用出来る事は勿論ではあるが、遺体収納袋の中に一体化して設けられた断熱部材６と防腐布８との間に収容された保冷剤９によって冷気を長時間逃がすこと無く保存出来る。そして抗菌セラミックスを含着させた防腐布８は抗菌セラミックスが発する遠赤外線とマイナスイオンの作用により、遺体の腐敗、異臭発生状態を防止する。血液、体液が流出した場合でも防腐布８の下に合着させている、吸収性の高いシート７によって吸収する。【００１８】  保冷剤９を発泡ポリエチレンとアルミ蒸着フィルムの断熱材６と防腐布８の間に挿入した保冷剤９からの冷気は防腐布８から伝導され遺体の長時間保冷効果が保たれる。保冷剤９の出し入れはどの位置からでも開閉が出来る２個のスライダー３によって、必要に応じて保冷剤９の取替え追加が容易に行なえる。防腐布８に含着させた薬剤からの抗菌効果と脱臭効果の働きが重合されて、遺体から発生する異臭防止と腐敗抑制が可能となり、衛生管理上遺体の現状維持が可能となる。また、この発明の遺体保存収納袋は遺体全体を防腐布８によって覆う為、さらなる異臭防止と腐敗抑制の効果を奏する。【００１９】  この遺体保存収納袋本体１００にスライダー３を２個付けることによって、遺族が遺体確認等をする場合において、全てのファスナー２を開閉することなく、顔部位のみの確認が出来る。【００２０】  この抗菌セラミックスの抗菌効果を公的機関における試験結果を表１と表２に示す。又魚介類における、対防腐抑制効果をマグロを用い��自主テストの結果を表３と図１に示す。腐敗によって発生する揮発性塩基素（ＶＢＮ）の発生が抑制されていることが理解できる。又この揮発性塩基素（ＶＢＮ）は総量によって、腐敗スピードを判定するものである。又脱臭効果を公的機関による試験結果を表４と図２に示す。【００２１】
【表１】
2014042783.tif 000003
【００２２】
【表２】
2014042783.tif 000004
【００２３】
【表３】
2014042783.tif 000005
【００２４】
【表３−１】
2014042783.tif 000006
【００２５】
【表４】
2014042783.tif 000007
【００２６】
【表４−１】
2014042783.tif 000008
【符号の説明】
【００２７】１      収納袋
２      ファスナー
３      スライダー
４      ファスナーカバー
５      把手部
６      断熱材
７      シート
８      防腐布
９      保冷剤
１０    写真入れ
１１    名札入れ
１００  遺体保存収納袋本体
【図１】
2014042783.tif 000009
【図２】
2014042783.tif 000010